(57)【要約】【課題】本考案は服飾用スナップに関し、雄状突起と係止孔との係脱操作を一層円滑に行えるようにするものである。【解決手段】弾性ばね板６が、軟質の合成樹脂により均一な厚さｔの薄板状に形成され、雌スナップ材４内に弾性ばね板６の外周を包囲する位置規制壁８を有する収納凹部９が設けられ、弾性ばね板６が収納凹部９内に嵌入されて弾性ばね板６の裏面に雌スナップ材４に取付けられる内面部材Ｂ′が押し付けられて被閉されている。【選択図】図１
0003145275.tif 000002
【実用新案登録請求の範囲】
【請求項１】
雄状突起が下面に設けられている雄スナップ材と、前記雄状突起を挿入する挿入孔が前記雄状突起と対向する上面に設けられている雌スナップ材と、前記挿入孔の奥に内装された、前記雄状突起が係脱可能となる係止孔を有した、弾性ばね板と、が備えられ、前記雄スナップ材、および前記雌スナップ材が、それぞれ外面部材と内面部材とで構成され、そして、前記雄スナップ材、および前記雌スナップ材が、前記外面部材と前記内面部材とにより被着部材に挟持された服飾用スナップにおいて、
（イ）前記弾性ばね板が、合成樹脂により均一な厚さの薄板状に形成され、
（ロ）前記雌スナップ材内に前記弾性ばね板の外周を包囲する位置規制壁を有する収納凹部が設けられ、かつ、
（ハ）前記弾性ばね板が前記収納凹部内に嵌入されて前記弾性ばね板の裏面に前記雌スナップ材に取付けられる内面部材が押し付けられて被閉されている
ことを特徴とする服飾用スナップ。
【請求項２】
前記雌スナップ材における前記外面部材の外周には外鍔部が設けられ、前記雌スナップ材における前記内面部材の外周には外縁部が設けられ、そして、前記内面部材と前記外面部材とが前記内面部材の前記外縁部を前記外鍔部にかしめることにより結合されていることを特徴とする請求項１に記載の服飾用スナップ。
【請求項３】
前記内面部材が、断面略皿状に形成されていることを特徴とする請求項１または２に記載の服飾用スナップ。
【請求項４】
前記雄スナップ材における前記内面部材の一側の略中央には前記雄状突起が設けられ、前記内面部材の他側には取付板にピン体部を有する断面Ｔ状のかしめピンが設けられ、前記雄スナップ材の前記外面部材の裏面中央にはかしめ凹部が設けられ、そして、前記内面部材と前記外面部材とが前記かしめピンが前記かしめ凹部内にかしめ固定されて一体的に取付けられていることを特徴とする請求項１または２に記載の服飾用スナップ。
【請求項５】
前記外面部材が、断面略薄形伏腕状に形成されていることを特徴とする請求項１または４に記載の服飾用スナップ。
【請求項６】
前記雌スナップ材における前記内面部材が、リベットピンが設けられた内側基体部と、前記内側基体部にかしめ固定される外縁部が外周に設けられた外面板と、により構成され、そして、前記外面部材および前記内側基体部が、前記リベットピンと、該リベットピンの先端にかしめ固定されるリベット頭体と、により結合されていることを特徴とする請求項１に記載の服飾用スナップ。
【請求項７】
前記外面板が断面略皿状に形成されていることを特徴とする請求項１または６に記載の服飾用スナップ。
【請求項８】
前記雄スナップ材における内面部材の一側には前記雄状突起が設けられ、リベットピンが他側に設けられ、前記雄スナップ材における外面部材が、前記内面部材の外表面を覆う外面板で構成され、前記内面部材および前記外面板が、前記リベットピンと、該リベットピンの先端にかしめ固定されるリベット頭体と、により結合されていることを特徴とする請求項１または６に記載の服飾用スナップ。
【請求項９】
前記雌スナップ材および／または前記雄スナップ材が、平面視円形に形成されていることを特徴とする請求項１〜８の何れか１項に記載の服飾用スナップ。
【請求項１０】
前記雌スナップ材、および／または前記雄スナップ材が、平面正方形、平面長方形、平面菱形、平面平行四辺形、平面六角形、または、平面八角形に形成されていることを特徴とする請求項１〜８の何れか１項に記載の服飾用スナップ。
【請求項１１】
前記弾性ばね板が、円盤状乃至は角盤状で縦断面が均一の厚さにて可撓可能に形成され、前記雄状突起が挿入される前記係止孔の周囲に該係止孔と連通させて分周的に複数個の切溝部が半径方向に形成され、前記切溝部の外周側に円弧状のスリットが形成され、そして、前記係止孔の周辺に可撓性を備えた係止爪片が形成されていることを特徴とする請求項１〜１０の何れか１項に記載の服飾用スナップ。
【考案の詳細な説明】
【技術分野】
【０００１】
本考案は服飾用スナップに関し、例えばシャツ、ジャケット、コート、ズボン等の衣服、また、バッグ、靴等の身回品に装着される雄スナップ材と、雌スナップ材とからなり、雄スナップ材の雄状突起が係脱可能になる雌スナップ材の係止孔を有する部分を合成樹脂により形成された弾性ばね板により構成するようにし、雄状突起と係止孔との係脱操作が一層円滑に行えるようにするものである。
【背景技術】
【０００２】
従来、衣服のような布地に装着されたり、またはバッグのような皮革に装着される雄スナップ材と、雌スナップ材とからなり、雄スナップ材の雄状突起が係脱可能になる雌スナップ材の係止孔内における弾性保持力をはかるために、係止孔を有する合成樹脂製の弾性円板を雌スナップ材の内面体内に内装したフックがあった。このフックは、合成樹脂よりなる弾性円板の可撓性を利用して雄スナップ材の雄状突起に対して弾性ばね性を附与させるものである。そして、雌スナップ材が、外面体と、内面体とからなり、外面体は金属板により形成される外側面と、外側面が周側筒の上端に設けられた係止部に係止される基板とにより形成され、金属板により形成された内面体の円筒の上端に設けた折曲部と、上面体の前記基板に設けられた円筒の下端の折曲部とをかしめ固定された構成であった。
【０００３】
ところで、このホックは、既知のホックが、雌スナップ材の基板に設けた小径の円筒と、大径の周側筒との間に、Ｓ字形に形成された２本の弾性鋼線の内側部を前記円筒に設けられた透孔から臨ませることにより、弾性鋼線のばね性を利用して雄スナップ材の雄状突起に対してばね附勢力を付与しようとするものが、弾性鋼線自体、金属線に塑性変形を与えることにより、所要の形状、寸法に仕上げなければならない点での製作時での困難性と、弾性鋼線を所定の位置に圧入するという組付時での困難性と、この弾性鋼線を自動的に雌スナップ材内に組付けるための自動製造装置の経済コストが高価であるという問題点を改善するためになされたものである（例えば特許文献１参照）。
【特許文献１】実公昭５５−１４２５１号公報
【考案の開示】
【考案が解決しようとする課題】
【０００４】
しかしながら、特許文献１に記載の従来のフックは、雄スナップ材の雄状突起が係脱可能になる部分を、係止孔を有する厚さが厚い合成樹脂製の弾性円板を雌スナップ材の内面体内に内装した構成であるので、雄スナップ材の雄状突起を係止孔内に係入させる場合に、雄状突起の係止孔に対する係脱操作に堅さを覚え、柔軟性に欠けるため、係止孔内への雄状突起の係入操作と脱係操作が円滑に行うことができなかった。
【０００５】
また、特許文献１に記載の従来のフックは、合成樹脂よりなる弾性円板を雌スナップ材の内面体における周側筒内に収容させるのに、弾性円板を圧入しなければならないので、弾性円板が弾性変形されることにより歪みを生じていた。また、周側筒の所定位置に対して弾性円板を組込むのに、内面体の軸心に対して弾性円板の軸心を一致させることが容易ではなく、迅速かつ確実には行えず、弾性円板の取付位置に偏りを生じ、製作および組付けの作業性が悪かった。しかも、弾性円板が内面体に対して偏心して取付けられることにより弾性円板の係止孔に対する雄スナップ材の雄状突起の係入操作と、脱係操作に支障を来たしていた。
【０００６】
さらには、特許文献１に記載の従来のフックは、雌スナップ材は、外面体と、内面体とからなり、外面体は金属板により形成される外側面と、外側面が周側筒の上端に設けられた係止部に係止される金属板よりなる基板とにより形成され、金属板により形成された内面体の円筒の上端に設けた折曲部と、外面体の前記基板に設けられた円筒の下端の折曲部とをかしめ固定される構成であり、外面体の前記外側面と、前記基板と、前記内面体とは、何れも、金属板により形成され、外面体の前記外側面と、前記基板とはかしめ固定されているのにすぎないので、強い引っ張りまたは圧縮等の外力が加わると、雌スナップ材は変形したり、外面体の前記外側面と、前記基板とのかしめ固定が解かれて分離したり、または外面体に対して前記内面体のかしめ固定が解かれて分離される等、構造的に脆弱であり、デザイン的にも平面円形な変化のない仕上がりであった。
【０００７】
本考案は、上記従来の欠点を解決することを目的としている。すなわち、本考案は、雄状突起と係止孔との係入操作および脱係操作を一層円滑に行えるようにした服飾用スナップを提供することを目的とする。
【課題を解決するための手段】
【０００８】
本考案の請求項１に記載の考案は、雄状突起が下面に設けられている雄スナップ材と、前記雄状突起を挿入する挿入孔が前記雄状突起と対向する上面に設けられている雌スナップ材と、前記挿入孔の奥に内装された、前記雄状突起が係脱可能となる係止孔を有した、弾性ばね板と、が備えられ、前記雄スナップ材、および前記雌スナップ材が、それぞれ外面部材と内面部材とで構成され、そして、前記雄スナップ材、および前記雌スナップ材が、前記外面部材と前記内面部材とにより被着部材に挟持された服飾用スナップにおいて、
（イ）前記弾性ばね板が、合成樹脂により均一な厚さの薄板状に形成され、
（ロ）前記雌スナップ材内に前記弾性ばね板の外周を包囲する位置規制壁を有する収納凹部が設けられ、かつ、
（ハ）前記弾性ばね板が前記収納凹部内に嵌入されて前記弾性ばね板の裏面に前記雌スナップ材に取付けられる内面部材が押し付けられて被閉されている
ことを特徴とする。
【０００９】
また、請求項２に記載の考案は、請求項１において、前記雌スナップ材における前記外面部材の外周には外鍔部が設けられ、前記雌スナップ材における前記内面部材の外周には外縁部が設けられ、そして、前記内面部材と前記外面部材とが前記内面部材の前記外縁部を前記外鍔部にかしめることにより結合されていることを特徴とする。
【００１０】
また、請求項３に記載の考案は、請求項１または２において、前記内面部材が、断面略皿状に形成されていることを特徴とする。
【００１１】
また、請求項４に記載の考案は、請求項１または２において、前記雄スナップ材における前記内面部材の一側の略中央には前記雄状突起が設けられ、前記内面部材の他側には取付板にピン体部を有する断面Ｔ状のかしめピンが設けられ、前記雄スナップ材の前記外面部材の裏面中央にはかしめ凹部が設けられ、そして、前記内面部材と前記外面部材とが前記かしめピンが前記かしめ凹部内にかしめ固定されて一体的に取付けられていることを特徴とする。
【００１２】
また、請求項５に記載の考案は、請求項１または４において、前記外面部材が、断面略薄形伏腕状に形成されていることを特徴とする。
【００１３】
また、請求項６に記載の考案は、請求項１において、前記雌スナップ材における前記内面部材が、リベットピンが設けられた内側基体部と、前記内側基体部にかしめ固定される外縁部が外周に設けられた外面板と、により構成され、そして、前記外面部材および前記内側基体部が、前記リベットピンと、該リベットピンの先端にかしめ固定されるリベット頭体と、により結合されていることを特徴とする。
【００１４】
また、請求項７に記載の考案は、請求項１または６において、前記外面板が断面略皿状に形成されていることを特徴とする。
【００１５】
また、請求項８に記載の考案は、請求項１または６において、前記雄スナップ材における内面部材の一側には前記雄状突起が設けられ、リベットピンが他側に設けられ、前記雄スナップ材における外面部材が、前記内面部材の外表面を覆う外面板で構成され、前記内面部材および前記外面板が、前記リベットピンと、該リベットピンの先端にかしめ固定されるリベット頭体と、により結合されていることを特徴とする。
【００１６】
また、請求項９に記載の考案は、請求項１〜８の何れか１項において、前記雌スナップ材および／または前記雄スナップ材が、平面視円形に形成されていることを特徴とする。
【００１７】
また、請求項１０に記載の考案は、請求項１〜８の何れか１項において、前記雌スナップ材、および／または前記雄スナップ材が、平面正方形、平面長方形、平面菱形、平面平行四辺形、平面六角形、または、平面八角形に形成されていることを特徴とする。
【００１８】
また、請求項１１に記載の考案は、請求項１〜１０の何れ１項において、前記弾性ばね板が、円盤状で縦断面が均一の厚さにて可撓可能に形成され、前記雄状突起が挿入される前記係止孔の周囲に該係止孔と連通させて分周的に複数個の切溝部を形成すると共に、各切溝部の外周側に円弧状のスリットを形成することにより、前記係止孔の周辺に可撓性を備えた係止爪片が形成されていることを特徴とする。
【考案の効果】
【００１９】
本考案の請求項１に記載の考案によれば、雄状突起が下面に設けられている雄スナップ材と、前記雄状突起を挿入する挿入孔が前記雄状突起と対向する上面に設けられている雌スナップ材と、前記挿入孔の奥に内装された、前記雄状突起が係脱可能となる係止孔を有した、弾性ばね板と、が備えられ、前記雄スナップ材、および前記雌スナップ材が、それぞれ外面部材と内面部材とで構成され、そして、前記雄スナップ材、および前記雌スナップ材が、前記外面部材と前記内面部材とにより被着部材に挟持された服飾用スナップにおいて、前記弾性ばね板が、合成樹脂により均一な厚さの薄板状に形成され、前記雌スナップ材内に前記弾性ばね板の外周を包囲する位置規制壁を有する収納凹部が設けられ、かつ、前記弾性ばね板が前記収納凹部内に嵌入されて前記弾性ばね板の裏面に前記雌スナップ材に取付けられる内面部材が押し付けられて被閉されているので、弾性ばね板が、合成樹脂により均一な厚さの薄板状に形成されているため、雄スナップ材の雄状突起を雌スナップ材の係止孔内に係入したり、または雄状突起を係止孔から脱係する場合に、弾性ばね板が可撓性に冨んで柔軟性に優れるから、雄状突起と係止孔との係入操作と脱係操作は、特許文献１に記載の従来のフックでは、係止孔を有する厚さが厚い合成樹脂製の弾性円板を雌スナップ材の内面体内に内装したことにより、雄状突起の係止孔に対する係脱操作に堅さを覚え、係止孔内への雄状突起の係入操作と係脱操作を円滑に行うことができず、不自然な動きになっていたのとは異なり、係脱操作を迅速かつ円滑に行うことができる。
【００２０】
また、請求項１に記載の考案によれば、雌スナップ材の内面に前記弾性ばね板の外周を包囲する位置規制壁を有する収納凹部が設けられ、前記弾性ばね板が前記収納凹部内に嵌入されて前記弾性ばね板の裏面に前記雌スナップ材に取付けられる内面部材が押し付けられて被閉されるので、弾性ばね板を前記雌スナップ材に設けた収納凹部に収容させる場合に、弾性円板を雌スナップ材の内面体における周側筒内に圧入させて弾性変形して収容を行い、周側筒の下縁部を上方に折り返した係止部により弾性円板の下面外周を支持する特許文献１に記載の従来のフックとは異なり、請求項１に記載の本考案では弾性ばね板の外周を包囲するように設けられた位置規制壁により位置決めされながら、弾性ばね板は収納凹部内に、嵌入されるので、前記弾性ばね板は、前記雌スナップ材に設けた収納凹部の所定位置に位置決めされて迅速かつ正確に収容され、雌スナップ材と弾性ばね板との相互の軸心を迅速かつ確実に一致させることができる。しかも、弾性ばね板は、特許文献１に記載の従来のフックとは異なり、前記雌スナップ材に設けた収納凹部に収容される場合に、圧入されないので、歪みを生ずることなく収容される。従って、製作および組付けの施工性が向上される。しかも構造的な強度に優れ、さらには、デザイン的にも薄形であり、変化のある斬新性を発揮する。
【００２１】
また、請求項２に記載の考案によれば、前記雌スナップ材における前記外面部材の外周には外鍔部が設けられ、前記雌スナップ材における前記内面部材の外周には外縁部が設けられ、そして、前記内面部材と前記外面部材とが前記内面部材の前記外縁部を前記外鍔部にかしめることにより結合されているので、内面部材の外縁部が外面部材の外鍔部にかしめ固定されることにより内部骨材として補強されるため、特許文献１に記載の従来のフックでは、雌スナップ材は、外面体と、内面体とからなり、外面体は外側面と、外側面が周側筒の上端に設けられた係止部に係止される基板とにより形成され、内面体の円筒の上端に設けた折曲部と、外面体の前記基板に設けられた円筒の下端の折曲部とをかしめ固定される構成であり、外面体の前記外側面と、前記基板とはかしめ固定されていることにより、強い引っ張りまたは圧縮等の外力が加わると、雌スナップ材は変形したり、外面体の前記外側面と、前記基板とのかしめ固定が解かれて分離したり、または外面体に対して前記内面体のかしめ固定が解かれて分離される等、構造的に脆弱であるのとは異なり、構造的な強度に優れる。しかも、構造的な強度が発揮されるので、デザイン的にも薄形であり、変化のある仕上がりになる。
【００２２】
また、請求項３に記載の考案によれば、前記内面部材が、断面略皿状に形成されているので、内面部材の外縁部が外面部材の外鍔部にかしめ固定されることにより内部骨材として補強されるため、特許文献１に記載の従来のフックでは、雌スナップ材は、外面体と、内面体とからなり、外面体は外側面と、外側面が周側筒の上端に設けられた係止部に係止される基板とにより形成され、内面体の円筒の上端に設けた折曲部と、外面体の前記基板に設けられた円筒の下端の折曲部とをかしめ固定される構成であり、外面体の前記外側面と、前記基板とはかしめ固定されていることにより、強い引っ張りまたは圧縮等の外力が加わると、雌スナップ材は変形したり、外面体の前記外側面と、前記基板とのかしめ固定が解かれて分離したり、または外面体に対して前記内面体のかしめ固定が解かれて分離される等、構造的に脆弱であるのとは異なり、構造的な強度に優れる。
【００２３】
また、本発明の請求項４に記載の考案によれば、前記雄スナップ材における前記内面部材の一側の略中央には前記雄状突起が設けられ、前記内面部材の他側には取付板にピン体部を有する断面Ｔ状のかしめピンが設けられ、前記雄スナップ材の前記外面部材の裏面中央にはかしめ凹部が設けられ、そして、前記内面部材と前記外面部材とが前記かしめピンが前記かしめ凹部内にかしめ固定されて一体的に取付けられているので、内面部材と外面部材とはかしめ凹部内にかしめピンをかしめ固定することにより一体的に取付けられて補強されることにより、構造的な強度が発揮される。このように、構造的な強度が発揮されるので、デザイン的にも薄形であり、変化のある仕上がりになる。
【００２４】
また、請求項５に記載の考案によれば、前記外面部材が、断面略薄形伏腕状に形成されているので、かしめ凹部内にかしめピンをかしめ固定することにより内面部材に一体的に取付けられる外面部材は、断面略薄形伏腕状に形成されていることにより補強され、構造的な強度が発揮される。
【００２５】
また、請求項６に記載の考案によれば、前記雌スナップ材における前記内面部材が、リベットピンが設けられた内側基体部と、前記内側基体部にかしめ固定される外縁部が外周に設けられた外面板と、により構成され、そして、前記外面部材および前記内側基体部が、前記リベットピンと、該リベットピンの先端にかしめ固定されるリベット頭体と、により結合されているので、特許文献１に記載の従来のフックでは、雌スナップ材は、外面体と、内面体とからなり、外面体は外側面と、外側面が周側筒の上端に設けられた係止部に係止される基板とにより形成され、内面体の円筒の上端に設けた折曲部と、外面体の前記基板に設けられた円筒の下端の折曲部とをかしめ固定される構成であり、外面体の前記外側面と、前記基板とはかしめ固定されていることにより、強い引っ張りまたは圧縮等の外力が加わると、雌スナップ材は変形したり、外面体の前記外側面と、前記基板とのかしめ固定が解かれて分離したり、または外面体に対して前記内面体のかしめ固定が解かれて分離される等、構造的に脆弱であるのとは異なり、雌スナップ材の内面部材が、内側基体部に、外面板の外縁部がかしめ固定されることにより内側基体部が内部骨材として補強するのと、この内側基体部に外面部材が、リベットピンと、リベット頭体とにより結合されることにより、リベットピンが補強柱になるため、構造的な強度が発揮される。このように、構造的な強度が発揮されるので、デザイン的にも薄形であり、変化のある仕上がりになる。
【００２６】
また、請求項７に記載の考案によれば、前記外面板が断面略皿状に形成されているので、補強され、構造的な強度が発揮される。
【００２７】
また、請求項８に記載の考案によれば、前記雄スナップ材における内面部材の一側には前記雄状突起が設けられ、リベットピンが他側に設けられ、前記雄スナップ材における外面部材が、前記内面部材の外表面を覆う外面板で構成され、前記内面部材および前記外面板が、前記リベットピンと、該リベットピンの先端にかしめ固定されるリベット頭体と、により結合されているので、内面部材と、外面部材とが、リベットピンと、リベット頭体とにより結合されるので、内面部材が補強骨材とされるのと、リベットピンが補強柱になるため、雄スナップ材は、構造的な強度が発揮される。このように、構造的な強度が発揮されるので、デザイン的にも薄形であり、変化のある仕上がりになる。
【００２８】
また、請求項９に記載の考案によれば、前記雌スナップ材および／または前記雄スナップ材が、平面視円形に形成されているので、デザイン的に薄形であり、変化のある仕上がりになる。
【００２９】
また、請求項１０に記載の考案によれば、前記雌スナップ材、および／または前記雄スナップ材が、平面正方形、平面長方形、平面菱形、平面平行四辺形、平面六角形、または、平面八角形に形成されているので、デザイン的に薄形であり、変化のある仕上がりになる。
【００３０】
また、請求項１１に記載の考案によれば、前記弾性ばね板が、円盤状乃至は角盤状で縦断面が均一の厚さにて可撓可能に形成され、前記雄状突起が挿入される前記係止孔の周囲に該係止孔と連通させて分周的に複数個の切溝部が半径方向に形成され、前記切溝部の外周側に円弧状のスリットが形成され、そして、前記係止孔の周辺に可撓性を備えた係止爪片が形成されているので、雄スナップ材の雄状突起を雌スナップ材の係止孔内に係入したり、または雄状突起を係止孔から脱係する場合に、弾性ばね板が可撓性に冨むから、雄状突起と係止孔との係脱操作は、特許文献１に記載の従来のフックでは、係止孔を有する厚さが厚い合成樹脂製の弾性円板を雌スナップ材の内面体内に内装したことにより、雄状突起の係止孔に対する係脱操作に堅さを覚え、係止孔内への雄状突起の係入操作と脱係操作が円滑に行うことができず、不自然な動きになっていたのとは異なり、円滑かつ確実に行うことができる。
【考案を実施するための最良の形態】
【００３１】
以下、図面に従って本考案の実施の最良の形態により、本考案の詳細を説明する。
【００３２】
＜実施形態１＞
図１は本考案の服飾用スナップの実施形態１を示す拡大断面図、図２は同じく本実施形態１を構成する雄スナップ材における内面部材を示す断面図、図３は同じく本実施形態１を構成する雄スナップ材における外面部材を示す底面図、図４は同じく断面図、図５は同じく本実施形態１を構成する雌スナップ材における内面部材を示す平面図、図６は同じく断面図、図７は同じく本実施形態１を構成する雌スナップ材に使用される弾性ばね板を示す平面図、図８は同じく本考案の服飾用スナップを構成する弾性ばね板の変形例を示す平面図である。
【００３３】
本実施形態１は、雄状突起２が下面に設けられている雄スナップ材１と、前記雄状突起２を挿入する挿入孔３が前記雄状突起２と対向する上面に設けられている雌スナップ材４と、前記挿入孔３の奥に内装された、前記雄状突起２が係脱可能となる係止孔５を有した、弾性ばね板６と、が備えられ、前記雄スナップ材１、および前記雌スナップ材４が、それぞれ外面部材Ａ,Ａ′と内面部材Ｂ,Ｂ′とで構成され、そして、前記雄スナップ材１、および前記雌スナップ材４が、前記外面部材Ａ,Ａ′と前記内面部材Ｂ,Ｂ′とにより被着部材７,７に挟持された服飾用スナップである点は前記特許文献１に記載の考案と同様の構成、作用である。
【００３４】
しかしながら、本実施形態１では、前記弾性ばね板６が、合成樹脂により均一な厚さｔの薄板状に形成され、前記雌スナップ材４内に前記弾性ばね板６の外周を包囲する位置規制壁８を有する収納凹部９が設けられ、かつ、前記弾性ばね板６が前記収納凹部９内に嵌入されて前記弾性ばね板６の裏面（図１において上面）に前記雌スナップ材４に取付けられる内面部材Ｂ′が押し付けられて被閉されている。
【００３５】
本実施形態１では、前記雌スナップ材４、および前記雄スナップ材１が、図示では平面円形に形成されているが、これは代表的な例示であり、図には示さないが、これに限ることなく、前記雌スナップ材４、および前記雄スナップ材１は例えば平面正方形、平面長方形、平面菱形、平面平行四辺形、平面六角形、平面八角形のような多角形に形成されても良い。
【００３６】
前記雄スナップ材１における前記内面部材Ｂは、金属をダイカスト成形して一側の略中央には前記雄状突起２が設けられ、他側には取付板１２にピン体部１１を有する断面Ｔ状のかしめピン１３をかしめ固定可能に設けられ、前記雄スナップ材１の前記外面部材Ａの裏面中央にはかしめ凹部１４が設けられ、前記内面部材Ｂと前記外面部材Ａとが、前記かしめピン１３を前記かしめ凹部１４内にかしめ固定することにより一体的に取付けられる。また、前記外面部材Ａが、金属をダイカスト成形することにより断面略薄形伏腕状に形成される。
【００３７】
前記雌スナップ材４における前記外面部材Ａ′の外周には外鍔部１５が設けられ、前記雌スナップ材４における前記内面部材Ｂ′の外周には外縁部１６が設けられ、前記内面部材Ｂ′と前記外面部材Ａ′とが、前記内面部材Ｂ′の前記外縁部１６を前記外鍔部１５にかしめることにより結合される。前記外面部材Ａ′は、金属をダイカスト成形して形成される。また、前記雌スナップ材４の前記内面部材Ｂ′が、金属板にて断面略皿状に形成される。
【００３８】
前記弾性ばね板６が、例えばポリアミド樹脂、ポリエチレン樹脂、ポリプロピレン樹脂等の合成樹脂を用いて形成されるが、これは代表的な例示であり、合成樹脂の種類を限定するものではない。前記弾性ばね板６が、本実施形態１では図７に示すように円盤状であるか、または図８に示す変形例のように、前記弾性ばね板６が、角盤状であり、また図１に示すように均一の厚さｔにて可撓可能に形成され、前記雄状突起２が嵌入される前記係止孔５の周囲に該係止孔５と連通させて分周的に複数個の切溝部１７を形成すると共に、各切溝部１７の外周側に円弧状のスリット１８を形成することにより、前記係止孔５の周辺に可撓性を備えた係止爪片１９が形成されている。
【００３９】
前記被着部材７としては、例えばシャツ、ジャケット、コート、ズボン等の衣服、また、バッグ、靴等の身回品等があるが、これは代表的例示であり、これに限られない。
【００４０】
本考案の服飾用スナップの実施形態１は以上の構成からなり、前記弾性ばね板６が、合成樹脂により図７に示すように円盤状であるか、または図８に示す変形例のように、角盤状に形成され、また均一な厚さｔの薄板状に形成され、そして、雌スナップ材４の外面部材Ａ′の内面には前記弾性ばね板６の外周を包囲する位置規制壁８を有する収納凹部９が設けられているので、弾性ばね板６を収納凹部９内に嵌入させて行くと、弾性板ばね６は位置規制壁８により周囲から位置決めされることにより、収納凹部９の所定位置に迅速かつ正確に収容される。
【００４１】
このように、本実施形態１では、弾性ばね板６は位置規制壁８により周囲から位置決めされながら収納凹部９内に嵌入されるので、弾性ばね板６を前記雌スナップ材４の外面部材Ａ′に設けた収納凹部９に収容させる場合に、弾性円板を雌スナップ材の内面体における周側筒内に収容させるのに圧入により、弾性円板を弾性変形して行う特許文献１に記載の従来のフックとは異なり、雌スナップ材４の外面部材Ａ′の内面に設けた収納凹部９内に弾性ばね板６を嵌入するだけで雌スナップ材４に設けた収納凹部９の所定位置に弾性ばね板６は位置決めされ、迅速かつ正確に収容され、雌スナップ材４と弾性ばね板６との相互の軸心Ｉ,Ｉ′を迅速かつ確実に一致させることができる。また、弾性ばね板６は、歪みを生ずることなく収容される。従って、製作および組付けの施工性が向上される。
【００４２】
また、雌スナップ材４における前記外面部材Ａ′の内面に設けた収納凹部９内に弾性ばね板６が嵌入されると、弾性ばね板６は内面（図１において上面）に内面部材Ｂ′が押し付けられるように被閉されるので、収納凹部９内において弾性ばね板６が不用意に移動されたり、ガタツキは阻止されるとともに、弾性ばね板６を収納凹部９内において周囲および上下から保護し、構造的な強度な仕態になる。また、収納凹部９は、図５に示されるように、弾性ばね板６の内周側が挿入孔３から露出されるように、内面部材Ｂ′により被閉されているので、収納凹部９へのごみの侵入が阻止される。さらには、弾性ばね板６は、合成樹脂により均一な厚さｔの薄板状に形成されて雌スナップ材４の収納凹部９内に収容されるので、服飾用スナップ自体は、デザイン的に薄形に形成され、変化に富んで斬新性を発揮する。
【００４３】
また、本実施形態１では弾性ばね板６が図７に示すように円盤状であるか、または図８に示す変形例のように、角盤状に形成され、そして縦断面が均一の厚さｔにて可撓可能に形成されているので、弾性ばね板６を雌スナップ材４の収納凹部９内に取付後において、雄スナップ材１の雄状突起２を雌スナップ材４の係止孔５内に係入したり、または雄状突起２を係止孔５から脱係する場合に、弾性ばね板６が可撓性に冨んで柔軟性に優れるから、雄状突起２と係止孔５との係脱操作は、特許文献１に記載の従来のフックでは、係止孔を有する厚さが厚い合成樹脂製の弾性円板を雌スナップ材の内面体内に内装していることにより、雄状突起の係止孔に対する係脱操作に堅さを覚え、柔軟性に欠け、係止孔内への雄状突起の係入操作と脱係操作が円滑に行うことができず、不自然な動きになっていたのとは異なり、本実施形態１では係止孔５内への雄状突起２の係入操作と脱係操作を迅速かつ確実に行うことができる。
【００４４】
この際、弾性ばね板６が、前述のように円盤状乃至は角盤状で均一の厚さｔにて可撓可能に形成されているのと、雄状突起２が挿入される前記係止孔５の周囲には、該係止孔５と連通させて分周的に複数個の切溝部１７が形成されると共に、各切溝部１７の外周側には円弧状のスリット１８が形成されているので、雄状突起２の係止孔５に対する係脱操作を行う場合に、係止孔５の周辺に設けられた係止爪片１９が充分にかつしなやかに可撓性が発揮されるため、柔軟性と、滑動性に冨むことにより係止孔５内への雄状突起２の係入操作と脱係操作が容易に行える。
【００４５】
しかも、前述のように、外面部材Ａ′に設けた収納凹部９内に収納されている弾性ばね板６は、内面（図においては上面）に内面部材Ｂ′が押し付けられて被閉されているので、弾性ばね板６は上面に内面部材Ｂ′が面接触され、下面が収納凹部９の下底部面に面接触されることにより上下から面接触されて全面的に、かつ安定に支持されることにより上面または下面が強固に挟持されるので、雄スナップ材１の雄状突起２を雌スナップ材４の係止孔５に対して係入操作したり、または脱係操作をする場合に、雄状突起２の弾性ばね板６に対する係入操作時の押し込み力と、脱係操作時の引抜き力とを上面または下面に偏りがなく均衡して受けるため、弾性ばね板６の係止爪片１９は、上方または下方の可撓性が上下方向に均衡して発揮され、前述の柔軟性と、滑動性とを充分に発揮することになり、機械的疲労が少なく、長期間の使用に耐える。
【００４６】
また、本実施形態１では、前記雄スナップ材１の前記内面部材Ｂが、金属をダイカスト成形して一側の略中央には前記雄状突起２が設けられ、取付板１２にピン体部１１を有する断面Ｔ状のかしめピン１３を他側にかしめ固定可能に設けられ、前記雄スナップ材１の前記外面部材Ａが、金属をダイカスト成形により断面略薄形伏腕状に形成されて裏面中央にはかしめ凹部１４が設けられ、前記内面部材Ｂと前記外面部材Ａとが、前記かしめピン１３を前記かしめ凹部１４内にかしめ固定することにより一体的に取付けられることにより、内面部材Ｂおよび外面部材Ａの双方が金属をダイカスト成形されているため、雄スナップ材１は、構造的な強度に優れる。このように、構造的に強度が発揮されるので、服飾用スナップ自体、デザイン的にも薄形であり、変化のある仕上がりになる。
【００４７】
また、前記雌スナップ材４の前記外面部材Ａ′が、金属をダイカスト成形して形成されて外周には外鍔部１５が設けられ、前記雌スナップ材４の前記内面部材Ｂ′が、金属板にて断面略皿状に形成されて外周には外縁部１６が設けられ、前記内面部材Ｂ′と前記外面部材Ａ′とが、前記内面部材Ｂ′の前記外縁部１６を前記外鍔部１５にかしめることにより結合されるので、金属板にて断面略皿状に形成された内面部材Ｂ′は金属をダイカスト成形して形成された外面部材Ａ′により内部骨材として補強されるため、特許文献１に記載の従来のフックでは、雌スナップ材は、外面体と、内面体とからなり、外面体は金属板により形成される外側面と、外側面が周側筒の上端に設けられた係止部に係止される金属板よりなる基板とにより形成され、金属板により形成された内面体の円筒の上端に設けた折曲部と、外面体の前記基板に設けられた円筒の下端の折曲部とをかしめ固定される構成であり、外面体の前記外側面と、前記基板と、前記内面体とは、何れも、金属板により形成され、そして、外面体の前記外側面と、前記基板とはかしめ固定されていることにより、強い引っ張りまたは圧縮等の外力が加わった場合に、雌スナップ材は変形したり、外面体の前記外側面と、前記基板とのかしめ固定が強制的に解かれて分離されたり、または外面体に対して前記内面体のかしめ固定が強制的に解かれて分離される等、構造的に脆弱であるのとは異なり、構造的に強度が優れたものになる。しかも、構造的な強度が発揮されるので、デザイン的にも薄形であり、変化のある仕上がりになる。
【００４８】
＜実施形態２＞
図９乃至図１４に示すものは、本考案の服飾用スナップの実施形態２である。この実施形態２では、前記雌スナップ材４における内面部材Ｂ′が、複数、例えば図９では２本のリベットピン２０が設けられた内側基体部２１と、金属板にて断面略皿状に形成されて外周には前記内側基体部２１にかしめ固定される外縁部２２が外周に設けられた外面板２３とにより構成され、前記外面部材Ａ′と前記内側基体部２１とが、前記リベットピン２０と、該リベットピン２０の先端にかしめ固定されるリベット頭体２４とにより結合される。そして、前記内側基体部２１は金属をダイカスト成形して形成される。また、前記外面板２３は、金属板により断面略皿状に形成される。従って、特許文献１に記載の従来のフックでは、雌スナップ材は、外面体と、内面体とからなり、外面体は金属板により形成される外側面と、外側面が周側筒の上端に設けられた係止部に係止される金属板よりなる基板とにより形成され、金属板により形成された内面体の円筒の上端に設けた折曲部と、外面体の前記基板に設けられた円筒の下端の折曲部とをかしめ固定される構成により、外面体の前記外側面と、前記基板と、前記内面体とは、何れも、金属板により形成され、外面体の前記外側面と、前記基板とがかしめ固定されていることにより、強い引っ張りまたは圧縮等の外力が加わると、雌スナップ材は変形したり、外面体の前記外側面と、前記基板とのかしめ固定が解かれて分離したり、または外面体に対して前記内面体のかしめ固定が解かれて分離される等、構造的に脆弱であるのとは異なり、本実施形態２では、雌スナップ材４の内面部材Ｂ′が、金属をダイカスト成形された内側基体部２１に、金属板よりなる外面板２３がかしめ固定されることにより金属をダイカスト成形した内側基体部２１が内部骨材として補強するのと、この内側基体部２１に金属板にて形成された外面部材Ａ′が、リベットピン２０と、リベット頭体２４とにより結合されることにより、リベットピン２０が補強柱になるため、構造的な強度が発揮される。
【００４９】
また、前記雄スナップ材１における内面部材Ｂの一側には前記雄状突起２を有し、リベットピン２０が他側に設けられ、前記雄スナップ材１における外面部材Ａが、前記内面部材Ｂの外表面を覆う外面板２５であり、前記内面部材Ｂと外面部材としての前記外面板２５とが、リベットピン２０と、該リベットピン２０の先端にかしめ固定されるリベット頭体２４とにより結合される。そして、前記内面部材Ｂは金属をダイカスト成形して形成される。また、前記内面部材Ｂの外表面を覆う外面板２５は、金属板により形成される。
【００５０】
このように、本実施形態２では、金属をダイカスト成形した内面部材Ｂと、金属板にて形成された外面部材Ａとが、リベットピン２０と、リベット頭体２４とにより結合されることにより、金属をダイカスト成形した内面部材Ｂが補強骨材とされるのと、リベットピン２０が補強柱になるため、雄スナップ材１は、構造的に強度を発揮する。このように本実施形態２における前記雄スナップ材１，および雌スナップ材４は、構造的な強度が発揮されるので、デザイン的にも薄形に形成され、変化のある仕上がりになる。なお、前記雌スナップ材１、および前記雄スナップ材４が、図示する実施形態２では平面正方形に形成されているが、これに限らず、図には示さないが、平面長方形、平面菱形、平面平行四辺形、平面六角形、平面八角形のような多角形に形成されても良く、また、平面視円形に形成されることにより、デザイン的に薄形であり、変化のある仕上がりにした点が前記実施形態１とは異なる構成、作用であるほかは、前記実施形態１と同様の構成、作用である。そして、図中の同一部分は同一符号を付した。
【産業上の利用可能性】
【００５１】
本考案は、雄状突起と係止孔との係入操作および脱係操作を一層円滑に行えるようにした用途・機能に適する。
【図面の簡単な説明】
【００５２】
【図１】図１は本考案の服飾用スナップの実施形態１を示す拡大断面図である。
【図２】図２は同じく本実施形態１を構成する雄スナップ材における内面部材を示す断面図である。
【図３】図３は同じく本実施形態１を構成する雄スナップ材における外面部材を示す底面図である。
【図４】図４は同じく断面図である。
【図５】図５は同じく本実施形態１を構成する雌スナップ材における内面部材を示す平面図である。
【図６】図６は同じく断面図である。
【図７】図７は同じく本実施形態１を構成する雌スナップ材に使用される弾性ばね板を示す平面図である。
【図８】図８は同じく本考案の服飾用スナップを構成する弾性ばね板の変形例を示す平面図である。
【図９】図９は同じく本考案の服飾用スナップの実施形態２を示す半裁拡大斜視図である。
【図１０】図１０は同じく本実施形態２を構成する雄スナップ材における内面部材を示す平面図である。
【図１１】図１１は同じく底面図である。
【図１２】図１２は同じく正面図である。
【図１３】図１３は同じく本実施形態２を構成する雄スナップ材における外面部材を示す平面図である。
【図１４】図１４は同じく断面図である。
【図１５】図１５は同じく本実施形態２を構成する雌スナップ材における内面部材を示す平面図である。
【図１６】図１６は同じく断面図である。
【図１７】図１７は同じく下面図である。
【図１８】図１８は同じく本実施形態２を構成する雌スナップ材における外面部材を示す平面図である。
【図１９】図１９は同じく断面図である。
【符号の説明】
【００５３】
１    雄スナップ材
２    雄状突起
３    挿入孔
４    雌スナップ材
５    係止孔
６    弾性ばね板
７    被着部材
８    位置決め凹部
９    収納凹部
１０  位置規制部材
１７  切溝部
１８  スリット
１９  係止爪片
Ａ    外面部材
Ａ′  外面部材
Ｂ    内面部材
Ｂ′  内面部材
Ｉ    軸心
Ｉ′  軸心
ｔ    厚さ
【図１】
0003145275.tif 000003
【図２】
0003145275.tif 000004
【図３】
0003145275.tif 000005
【図４】
0003145275.tif 000006
【図５】
0003145275.tif 000007
【図６】
0003145275.tif 000008
【図７】
0003145275.tif 000009
【図８】
0003145275.tif 000010
【図９】
0003145275.tif 000011
【図１０】
0003145275.tif 000012
【図１１】
0003145275.tif 000013
【図１２】
0003145275.tif 000014
【図１３】
0003145275.tif 000015
【図１４】
0003145275.tif 000016
【図１５】
0003145275.tif 000017
【図１６】
0003145275.tif 000018
【図１７】
0003145275.tif 000019
【図１８】
0003145275.tif 000020
【図１９】
0003145275.tif 000021